(57)【要約】      （修正有）【課題】ドライバビットがトルクを受ける時の応力集中現象を減らし、該ドライバビットの挿入部の亀裂を防止し、これにより該ドライバビットの使用上の安全性を高めること。【解決手段】ドライバビットは、固定部品頭部の溝内に挿入され回転工具のトルクを伝達できる。ドライバビット３は嵌合接続に供される柄部３１と挿入部３２を包含し、該挿入部が固定部品頭部の溝内に挿入される挿入端と該柄部の一端面に隣接する基部３２２を具え、基部の断面積が柄部より小さく、且つ基部の外表面にネジ山が設けられている。【選択図】図４
0003137742.tif 000002
【実用新案登録請求の範囲】
【請求項１】
ドライバビットにおいて、
柄部であって、ハンドルを回転させる工具に着脱自在に結合され、該柄部は二端を有する、上記柄部と、
第１挿入部であって、該柄部のそのうちの一端に設けられ、該第１挿入部は固定部品との結合に用いられる第１挿入端を具えている、上記第１挿入部と、
ネジ部であって、該柄部のそのうちの一端と該第１挿入部の該第１挿入端との間に形成され、該ネジ部の外径は該柄部の２端の外径より小さく、且つ該ネジ部が雄ネジを具えている、上記ネジ部と、
を包含したことを特徴とする、ドライバビット。
【請求項２】
請求項１記載のドライバビットにおいて、該第１挿入部は該柄部のそのうちの一端に隣接する基部を具え、該基部は円形断面を有し且つ該ネジ部が形成されていることを特徴とする、ドライバビット。
【請求項３】
請求項１記載のドライバビットにおいて、該柄部のもう一端より第２挿入部が延伸され、該第２挿入部が第２挿入端を包含し、該第２挿入部と該柄部のもう一端の間にもう一つのネジ部が形成され、このもう一つのネジ部の外径が該柄部の外径より小さく、且つ該もう一つのネジ部が雄ネジを具えたことを特徴とする、ドライバビット。
【請求項４】
請求項１記載のドライバビットにおいて、該ネジ部が該柄部の二端の間に形成されたことを特徴とする、ドライバビット。
【考案の詳細な説明】
【技術分野】
【０００１】
本考案は一種のドライバビットに係り、特に、固定部品頭部の溝内に挿入することでトルクを伝達できるドライバビットの構造に関する。
【背景技術】
【０００２】
物品間の結合には各種形式の固定部品による固定が利用され、そのうち、ネジは経常的に二つの物品間の着脱可能な固定結合に供される固定部品である。この固定部品の締めつけと開放は、一般に回転工具のドライバビットを固定部品頭部の溝内に挿入してトルクを伝達して達成される。固定部品頭部の溝には多種類の形式があり、このため周知の回転工具も多種類の規格のドライバビットで対応しており、例えば、梅花形、＋形、−形、六角形、及び内六角形等がある。
【０００３】
図１は周知の回転工具１のドライバビット１２を固定部品２頭部の溝２１内に挿入して固定部品２を締めつける実施状態を示す。該回転工具１はハンドル１１を包含し、該ハンドル１１の頭部１１１の下方にスリーブ１３が組み合わされ、該スリーブ１３内部に接続孔（図示せず）が設けられて、該ドライバビット１２が着脱自在に組み合わされる。該ドライバビット１２は該スリーブ１３と嵌合される柄部１２１と、該固定部品頭部の溝２１内に挿入可能な挿入部１２２を包含し、該挿入部１２２は梅花形、＋形、−形、六角形、及び内六角形刃部の形成された挿入端１２３と該柄部１２１の一端面と隣接する基部１２４を包含する。
【０００４】
周知のドライバビットの柄部１２１は着脱可能なスリーブ１３を介して回転工具１のハンドル１１或いは電動工具（図示せず）に接続され、多種類の形式或いはサイズのドライバビット１２が交換可能に同一のハンドル１１に組み合わされて、ハンドル１１の印加するトルクを伝達するのに用いられ、実施上、相当に便利である。
【０００５】
該ドライバビット１２の挿入端１２３は固定される固定部品２頭部の溝２１に対応して設置され、これにより異なるサイズの設計を有し得る。該柄部１２１はスリーブ１３のサイズに応じて固定され不変であり、これにより一部のドライバビット１２は挿入部１２３と柄部１２１の断面積が異なる設計とされ、基部１２４の柄部１２１に隣接する部分に応力集中が形成され、このような設計により該ドライバビット１２の挿入端１２３部分の強度が下がり、則ちドライバビット１２が大径の柄部１２１と小径の挿入部１２２を具備し、該挿入部１２２の基部１２４の柄部１２１と接続する端面に断面積の急激な変化が形成されて、このため強度が下降し、該ドライバビット１２がトルクを受けるとき、この大径、小径部の間の基部１２４部分に応力集中現象が発生し、破壊され安い亀裂点が形成される。また、もし該ドライバビット１２がトルク伝達時に切断されると、撥ね飛んで周囲の人を傷つける恐れがあり、安全性を確保し難い。
【考案の開示】
【考案が解決しようとする課題】
【０００６】
本考案は、ドライバビットの挿入部の構造を改善することにより、応力集中現象を効果的に減らし、それにより該ドライバビットの挿入部の亀裂切断を防止し、且つドライバビットが切断されて破片が撥ね飛ぶのを防止し、これによりドライバビットの使用上の安全性を高めることを目的とする。
【課題を解決するための手段】
【０００７】
本考案は、固定部品頭部の溝内に挿入されてトルクを伝達できるロッド体を具え、該ロッド体は工具ハンドルに嵌合される柄部と挿入部を具え、該挿入部が挿入端と該柄部の一端面に隣接する基部を包含するドライバビットにおいて、該基部の横向き断面が円形を呈するように設けられ、且つ該基部の外表面にネジ山が設けられ、該ドライバビットがトルクを受けてそれを伝達する時、該ドライバビットの応力集中の現象を減らせることを特徴とする。
【０００８】
ある実施例において、該ドライバビットの挿入端に梅花形、＋形、−形、六角形、及び内六角形の刃部が形成される。
【０００９】
ある実施例において、該柄部の外表面の横向き断面は例えば略六角形のような多角形を呈し且つ挿入部より大きい外径を有し、該基部の断面積は該柄部より小さい。
【００１０】
ある実施例において、二つの挿入部を具え、各挿入部は挿入端と該柄部の各端面に隣接する基部を具え、且つ各基部の外表面にネジ山が設けられる。
【００１１】
ある実施例において、該柄部はネジ部により第１柄部と第２柄部に分割され、且つ該ネジ部の外表面にネジ山が設置される。
【考案の効果】
【００１２】
本考案は、ドライバビットの挿入部の構造を改善することにより、応力集中現象を効果的に減らし、それにより該ドライバビットの挿入部の亀裂切断を防止し、且つドライバビットが切断されて破片が撥ね飛ぶのを防止し、これによりドライバビットの使用上の安全性を高めている。
【考案を実施するための最良の形態】
【００１３】
以下の実施例は本考案を説明するために例示されたものであって、本考案の範囲を限定するものではなく、図中に示される本考案の実施例の素子の数、位置、関係、サイズの延伸は本考案の範疇に属する。このほか、本考案の理解の後に、特定の力、重量、強度及び類似の要求に合わせた正確なサイズ及びサイズ比はいずれも本考案の範疇に属する。
【００１４】
図２及び図３は本考案の第１実施例により構成されるドライバビット３を示す。該ドライバビット３は固定部品頭部の溝内に挿入されてトルクを伝達し、本考案の第１実施例の図面に示されるように、上述の固定部品はネジとされる。該ドライバビット３は一般に、金属材料で一体に形成され、それは柄部３１及び挿入部３２を具備する。該柄部３１は二端３０を具え、この二端３０がそれぞれ端面３１１を具えている。上述の挿入部３２は柄部３１の一端３０の端面３１１より凸伸されたロッド体で構成され、本実施例では、該柄部３１の外表面の横向き断面は略六角形を呈し且つ挿入部より大きい外径を有し、該柄部３１は着脱可能に該柄部３１を回転させる工具に結合され、第１実施例では、該柄部３１はスリーブ１３と嵌合可能で、該スリーブ１３は着脱自在に前述の工具のハンドル１１の頭部１１１下方に取り付けられ、ドライバビット３が該工具のハンドル１１の回転操作に伴い一緒に回転することでトルクを伝達し、別に柄部３１の外表面に複数の凹部３１２が設けられて該スリーブ１３内部との係合に供される。
【００１５】
図４も併せて参照されたい。該挿入部３２は基部３２２と、該基部３２２の末端に位置して固定部品２頭部の溝２１内に挿入可能な挿入端３２１を包含する。該基部３２２の別の一端は該柄部３１の一端３０の端面３１１に隣接し、この第１実施例によると、該挿入端３２１に＋形の刃部が形成され、それは該固定部品２頭部の溝２１内に挿入されて該固定部品２を物品５内にねじ込むのに供される。且つ該基部３２２の断面積は柄部３１の断面積より小さい。上述の挿入端３２１は＋形の刃部の代わりに、梅花形、−形、六角形、及び内六角形の刃部が形成されてもよい。
【００１６】
本考案により形成されたドライバビット３は、該ドライバビットがトルクを伝達する時の応力集中現象を減らす。本考案の第１実施例の構造の特徴は以下のとおりであり、すなわち、該挿入端３２１の基部３２２の横向き断面が円形を呈し、且つ該基部３２２の外表面に螺旋状の少なくとも一つの凹溝３２６で構成された雄ネジ３２４が設けられ、該基部３２２に雄ネジ３２４を具えたネジ部３２８が形成され、こうして、該ドライバビット３が受力しトルクを伝達する時、該基部３２２エリアの応力分布が均一状態に近くなり、すなわち雄ネジ３２４の構成する浅溝が操作時の反作用力の集中部分となり、該反作用力を雄ネジ３２４に沿って均一に基部３２２に分散させるために、有効に該ドライバビット３の応力集中現象を改善し、これにより該ドライバビット３の使用寿命を延長する。
【００１７】
実際の試験に示されるように、本考案のドライバビット３が図１の周知のドライバビット１２を破断させるのに相当する応力を受ける時、この雄ネジ３２４を具備する基部３２２は変形を発生し得て、破断して破片が撥ね飛んで人を傷つける恐れがなく、このためドライバビット３の使用上の安全性をアップできる。
【００１８】
図５は本考案のドライバビット３の第２実施例であり、この実施例において、第１実施例と同じ或いは同等の部品は同じ符号で表示し、細部構造の説明は省略する。第２実施例は第１実施例を簡単に変化させたものであり、両者の違いは、第２実施例のドライバビット３の両端３０それぞれに挿入部３２が設けられ、各挿入部３２が刃部を具えた挿入端３２１及び該柄部３１の各端面３１１に隣接する基部３２２を包含することにあり、その特徴は第１実施例と同様に、該基部３２２の外表面に雄ネジ３２４が設けられ、且つ該挿入部３２の基部３２２の横向き断面が最も好ましくは円形とされ、これにより該ドライバビット３のトルク伝達時の応力集中現象が有効に減らされることである。
【００１９】
図６及び図７は本考案のドライバビット３の第３実施例を示す。この第３実施例は第２実施例を簡単に変化させたもので、両者の差異は、第３実施例では、ドライバビット３が電動工具４或いは空気駆動式工具を組み合わせて使用するために、比較的長い柄部３１を具備するものとし、且つ材料コストを考慮し、該柄部３１の中間の実質機能を具備しないセクションは外径が柄部３１より小さい設計とし、該柄部３１を第１端３１ａと第２端３１ｂに区画し、且つ第１端３１ａと第２端３１ｂの間にネジ部３１３を形成し、該第１端３１ａと第２端３１ｂの外端よりそれぞれ挿入部３２を延伸し、各挿入部３２に、個別に固定部品２に対応する挿入端３２１を設けたことにある。本実施例の構造の特徴は、該柄部３１のネジ部３１３の横向き断面が円形を呈し、且つネジ部３１３の外表面に雄ネジ３１４が設けられたことにあり、これにより該ドライバビット３のトルク伝達時の、該ネジ部３１３の応力集中現象を有効に減らせ、これによりドライバビット３の柄部３１の破断を防止し、これによりドライバビットの使用上の安全性を高められる。
【００２０】
本考案の上述の三種類の実施例から分かるように、本考案は、ドライバビット３の柄部３１より小径のセクションにより応力集中を減らす設計に対して、ドライバビット３の柄部３１と挿入端３２１の間にネジ部３１３、３２８を形成することにより、応力を平均してネジ部３１３、３２８に分布させ、ドライバビット３の破断とそれにより人を傷つける問題を減らし、使用上の安全性を高めている。
【００２１】
前述の本考案の構造の好ましい実施例の説明に対して、本考案の設計の精神に基づき多種類の変化或いは改修の実施例が可能である。例えば、図６に示されるドライバビット３中、その挿入部３２の基部外表面に同様に雄ネジ３２４を設けて該ドライバビットの挿入部３２のトルク伝達時の応力集中現象を減らすことができる。ゆえに本考案に基づきなしうる変更と修飾は、本考案の請求範囲内に属するものとする。
【図面の簡単な説明】
【００２２】
【図１】周知の回転工具のドライバビットを固定部品頭部の溝内に挿入して固定部品を締めつける実施状態を示す。
【図２】本考案の第１実施例のドライバビットの断面図である。
【図３】図２のドライバビットと工具ハンドル及びスリーブの分解図である。
【図４】図３の部品の組合せ表示図であり、並びに該ドライバビットを工程部品頭部の溝内に挿入して固定部品を締めつける実施状態を示している。
【図５】本考案の第２実施例のドライバビットの断面図である。
【図６】本考案の第３実施例のドライバビットの断面図である。
【図７】図６のドライバビットと電動工具の組合せ表示図である。
【符号の説明】
【００２３】
１  回転工具                  １１  ハンドル
１１１  頭部                  １２  ドライバビット
１２１  柄部                  １２２  挿入部
１２３  挿入端                １２４  基部
１３  スリーブ                ２  固定部品
２１  溝                      ３  ドライバビット
３０  端                      ３１  柄部
３１ａ、３１ｂ  端            ３１１  端面
３１２  凹部                  ３１３  ネジ部
３１４  雄ネジ                ３２  挿入部
３２１  挿入端                ３２２  基部
３２４  雄ネジ                ３２６  凹溝
３２８  ネジ部                ４  電動工具
５  物品
【図１】
0003137742.tif 000003
【図２】
0003137742.tif 000004
【図３】
0003137742.tif 000005
【図４】
0003137742.tif 000006
【図５】
0003137742.tif 000007
【図６】
0003137742.tif 000008
【図７】
0003137742.tif 000009